(57)【特許請求の範囲】
【請求項１】
斜面に太陽光パネルを設置するための太陽光パネル設置構造であって、
斜面に設けられた基礎部と、この基礎部上に設けられて斜面の傾斜方向及び斜面の傾斜方向と直交する横方向に隣り合うように配される複数の太陽光パネルを設置する太陽光パネル設置架台とを備え、
前記太陽光パネル設置架台は、斜面の傾斜方向と直交する横方向に延長する態様で斜面上側と斜面下側とに間隔をあけて互いに平行に配されて前記基礎部上に取り付けられる、平坦な上面及び側面を有する水平材と、斜面の傾斜方向をなすとともに横方向に間隔をあけて配されて、斜面の傾斜方向に並ぶ複数の太陽光パネルのそれぞれの取付部を受けるパネル受け材と、前記パネル受け材の斜面上側及び斜面下側にそれぞれ固定されるスライド金具とを備え、
前記斜面上側のスライド金具及び前記斜面下側のスライド金具はそれぞれ、前記斜面上側の水平材又は前記斜面下側の水平材の斜面傾斜方向の側面に対し側面から接するように配されてそれぞれ水平材にボルトで固定されるとともに、前記斜面上側又は斜面下側の少なくとも一方のスライド金具は水平材の斜面上側の側面に接していることを特徴とする太陽光パネル設置構造。
【請求項２】
前記スライド金具が山形鋼であって、山形鋼の２つのフランジの一方がパネル受け材の下面に固定され、他方が水平材の側面にボルトにより固定されていることを特徴とする請求項１記載の太陽光パネル設置構造。
【請求項３】
請求項１又は２の太陽光パネル設置構造により、斜面に設けた基礎部上に、斜面の傾斜方向及び斜面の傾斜方向と直交する横方向に隣り合うように配される複数の太陽光パネルを設置する太陽光パネル設置施工方法であって、次の（１）〜（７）の工程からなることを特徴とする太陽光パネル設置施工方法。
（１）前記基礎部上に、斜面上側となる水平材と斜面下側となる水平材との一対の水平材を、斜面の傾斜方向と直交する横方向に延長する態様で斜面上側と斜面下側とに間隔をあけて互いに平行に取り付ける。
（２）２本の前記パネル受け材の斜面上側となる端部及び斜面下側となる端部にそれぞれ前記スライド金具の上部を固定して２本のスライド金具付きパネル受け材を形成する。
（３）前記２本のスライド金具付きパネル受け材の斜面傾斜方向の上端部及び下端部をそれぞれ、斜面傾斜方向上側及び下側の水平材上に載せる。その際、斜面上側のスライド金具及び斜面下側の少なくとも一方のスライド金具が水平材の斜面上側の側面に接するように配して水平材上に載せる。
（４）前記２本のスライド金具付きパネル受け材の横方向の間隔を太陽光パネルの取付部に合せるとともに、斜面傾斜方向に並ぶ複数の太陽光パネルのそれぞれ横方向に延びる枠材を前記２本のスライド金具付きパネル受け材の各パネル受け材にそれぞれ固定して、前記複数の太陽光パネルとその複数の太陽光パネルを固定した２本のスライド金具付きパネル受け材とからなるパネルユニットを形成する。
（５）前記パネルユニットを、横方向の所定の位置まで水平材上をスライドさせ、パネル受け材の両端に固定している前記スライド金具の下部を水平材の側面にボルトで固定する。
（６）前記パネルユニットに横方向に隣接するパネルユニットを形成するための、前記（２）〜（５）の工程を行う。
（７）先に形成したパネルユニットに隣接するパネルユニットを形成するための、前記（２）〜（５）の工程を所定のパネルユニットの数に対応して行う。
【発明の詳細な説明】
【技術分野】
【０００１】
この発明は、土手などの斜面に太陽光パネルを設置するための太陽光パネル設置構造    、及び太陽光パネル設置施工方法に関する。
【背景技術】
【０００２】
太陽光パネルを屋外に設置する場合、太陽光を効果的に受光するために傾けて設置するが、河川沿いの土手や盛土された道路の側部法面などの斜面は、その向きが太陽光パネルの受光に適していれば太陽光パネルを設置するスペースとして好適である。このような斜面に太陽光パネルを設置する場合、斜面に設けた基礎部に太陽光パネル設置架台を設け、その上に太陽光パネルを設置して、太陽光パネルと斜面（地面）との間に空間を形成する。
【０００３】
太陽光発電装置は一般に、太陽光パネル設置架台に複数の太陽光パネルを取り付ける。  従来、各太陽光パネルを太陽光パネル設置架台に取り付ける場合、図１７（イ）、（ロ）に示すように、各太陽光パネル５１を太陽光パネル設置架台５２の所定の箇所に直接に配置して、ボルト５３等で取り付けるのが一般的である（特許文献１の図３）。５１ａは太陽光パネルの周囲の枠材、５１ｂは太陽電池モジュールである。図示例では１５枚の太陽光パネル５１を縦横に隣接させて設置している。
【０００４】
図１８（イ）、（ロ）に示すように、太陽光パネル６１を太陽光パネル設置架台６２の架台フレーム６３上でスライドさせて所定の箇所に位置させる構造のものもある（特許文献１の図１、図２）。
この太陽光パネル設置架台６２は、開口部が互いに向き合って平行に配設され傾斜した断面コ字形の架台フレーム６３と、両架台フレーム６３の下端部に設けられたストッパ６４と、両架台フレーム６３の下辺に形成された複数個の螺孔６５と、螺孔６５に下方から挿入されて螺合し先端が太陽光パネル６１の枠材６１ａを架台フレーム６３上辺に押圧するボルト６６とを備えた構造である。６１ｂは太陽電池モジュールである。図示例では傾斜した横並びの２つの太陽光パネル設置架台６２のそれぞれに３枚の太陽光パネル６１を縦に隣接させて設置している。
この太陽光パネル設置架台６２は、架台フレーム６３が断面コ字形で開口部が互いに向き合って平行に配設されているため、太陽光パネル６１の両側を太陽光パネル設置架台６２の両架台フレーム６３間に順次に挿入することができ、その上、架台フレーム６３の下辺の螺孔６５に螺合したボルト６６の先端でパネル６１を架台フレーム６３の上辺に押圧するため、従来のようにボルトの挿通孔を合わせる必要がなく、ボルトの数も少なく、取付作業が容易であり、かつ、パネルを下方からのボルトにより押し上げて固定しているため、パネルの取付強度が大である、という効果を奏する。
【０００５】
また、図１９に示す特許文献２の太陽光パネル設置架台７１は、互いに平行な２本の軸状レール（柱状レール）７２と、各レール７２にそれぞれ取り付けられた固定部材７３とからなり、各固定部材７３は太陽光パネル７０の対向する２辺にそれぞれ固定され、一方の辺に取り付けられた固定部材は、前記２本のレール７２のうち一方のレール７２に対して回動自在に固定されるとともに、他方の辺に取り付けられた固定部材７３は、他方のレール７２に対して着脱自在に固定されている、という構造を有する（特許文献２の図１）。
太陽光パネル７０は、前記他方のレール７２を軸として上下に回動可能（開閉可能）であり、また、レール７２上をスライド可能である。レール７２は基礎レール７４上に固定バンド７５で固定される。また、前記レール７２を長くし複数の太陽光パネルを設置して、太陽光パネルアレイ（太陽電池アレイ）とすることができる（特許文献２の図１４）。
太陽光パネル７０が一方のレール７２を軸として上下に開閉可能なので、施工・交換・メンテナンス（太陽光パネル裏側の点検・保守）が簡単であり、かつ脱落の危険は少ない、とされる。
【先行技術文献】
【特許文献】
【０００６】
【特許文献１】実開平０６−８２８６４
【特許文献２】特開２００６−２７８７３８
【発明の概要】
【発明が解決しようとする課題】
【０００７】
図１７の太陽光パネル設置架台５２ように、複数の太陽光パネルを、太陽光パネル設置架台の所定の箇所に直接に配置して、ボルトで取り付ける従来の一般的な太陽光パネル設置構造では、太陽光パネルを太陽光パネル設置架台にボルトで取り付ける作業をする際、太陽光パネルの下に潜り込んで取り付け作業をする必要が生じるケースが多いが、そのような作業は極めて作業性が悪い。また、潜り込むこと自体及び潜ってする作業によってケガなどする恐れもある。
また、太陽光パネルと斜面との間に若干の空間（高さ空間）は必要であるが、太陽光パネルの下に潜って作業する必要のある構造の場合には、前記空間を必要以上に高く形成することが必要となり、架台を支持する脚を高くする必要がある。このため、長い脚材が必要となり、鋼材の使用量が多くなり、材料コストが高くなる。
【０００８】
図１８の太陽光パネル設置架台６２のように、複数の太陽光パネル６１を、対向する一対の架台フレーム６３間に傾斜上側から順次挿入しスライドさせて所定箇所に位置させ、最初に挿入した太陽光パネルは傾斜下側のストッパ６４で受け止めるとともに、各太陽光パネルの枠材６１ａを架台フレーム６３の下辺側から捻じ込んだボルト６６で上辺に押圧して固定するものは、ボルトとナットとによる締結作業がない点では作業性はよいが、中央の架台フレーム６３においては太陽光パネル６１の下面に潜ってするボルト締め付け作業が必要で、この点では作業性がよいとは言えない。また、太陽光パネルの枠材を架台フレームの上辺にボルトで押圧するだけでは、いずれガタが生じる恐れがあり太陽光パネルを堅固に固定することはできない。
また、例えば故障した太陽光パネルを取り替える際に、複数設置された太陽光パネルの任意の１枚を取り外すことができず、メンテナンス等の際の作業性に欠ける。
また、図示例は縦並びの太陽光パネルを横方向に２列配置した場合であるが、中央側の架台フレーム６３と太陽光パネル６１の取り付け作業に際し、太陽光パネル６１の下に潜っての作業となり作業性が悪い。また、横方向に３列さらには多数列置した場合、横方向の中間に位置する太陽光パネルについては、太陽光パネルの下に潜ってする作業となり、作業性が非常に悪くなる。それを避けようとすると横方向の列数を多くはできず、一基の太陽光パネル設置構造に配置できる太陽光パネルの数を多くすることができない。また、例えば土手などのように横方向に延びる斜面の場合に、太陽光パネルを横方向に多数配置することはできない。
【０００９】
図１９の太陽光パネル設置架台７１において、太陽光パネル７０を支持する軸状のレール７２の両端は、固定バンド７５で基礎レール７４上に固定されているので、そして、１つのレール７２の長さには限界があるから、１つの太陽光パネル設置架台７１に多くの太陽光パネルを設置することは実際上困難である。
多くの太陽光パネルを設置するためには、複数の太陽光パネル設置架台を設置することになるが、複数の太陽光パネル設置架台を設置することは、一基で多数の太陽光パネルを連続させて設置可能な太陽光パネル設置架台と比べて、製造・施工コストが高く、また、同一敷地面積に設置可能な太陽光パネル数が少なく、したがって敷地面積に対する発電効率が低い。
【００１０】
本発明は上記従来の欠点を解消するためになされたもので、太陽光パネルをボルトで架台に堅固に固定する構造を採用するがボルト締めのために太陽光パネルの下に潜り込んでする作業を不要にして、太陽光パネル設置作業の作業性を向上させることができ、ケガなどする恐れもなくし、太陽光パネルと斜面との間の高さ空間を最小限にとどめることが可能で架台を支持する脚部ないし基礎部を低くし材料コストを安くすることができ、また、太陽光パネルを搭載して斜面上下の水平材間に架け渡した状態のパネル受け材が滑落する恐れがなく、また、複数設置された太陽光パネルの任意の１枚を容易に取り外すことが可能としてメンテナンスなどの作業を容易にし、さらに、土手などの横方向に延びる斜面に設置する際に横方向に多数設置することが可能で、決められた敷地面積に設置可能な太陽光パネル数が多くて敷地面積に対する発電効率の良好な太陽光パネル設置構造及び太陽光パネル設置施工方法を提供することを目的とする。
【課題を解決するための手段】
【００１１】
上記課題を解決する請求項１の発明は、斜面に太陽光パネルを設置するための太陽光パネル設置構造であって、
斜面に設けられた基礎部と、この基礎部上に設けられて斜面の傾斜方向及び斜面の傾斜方向と直交する横方向に隣り合うように配される複数の太陽光パネルを設置する太陽光パネル設置架台とを備え、
前記太陽光パネル設置架台は、斜面の傾斜方向と直交する横方向に延長する態様で斜面上側と斜面下側とに間隔をあけて互いに平行に配されて前記基礎部上に取り付けられる、平坦な上面及び側面を有する水平材と、斜面の傾斜方向をなすとともに横方向に間隔をあけて配されて、斜面の傾斜方向に並ぶ複数の太陽光パネルのそれぞれの取付部を受けるパネル受け材と、前記パネル受け材の斜面上側及び斜面下側にそれぞれ固定されるスライド金具とを備え、
前記斜面上側のスライド金具及び前記斜面下側のスライド金具はそれぞれ、前記斜面上側の水平材又は前記斜面下側の水平材の斜面傾斜方向の側面に対し側面から接するように配されてそれぞれ水平材にボルトで固定されるとともに、前記斜面上側又は斜面下側の少なくとも一方のスライド金具は水平材の斜面上側の側面に接していることを特徴とする。
【００１２】
請求項２は、請求項１の太陽光パネル設置構造において、前記スライド金具が山形鋼であって、山形鋼の２つのフランジの一方がパネル受け材の下面に固定され、他方が水平材の側面にボルトにより固定されていることを特徴とする。
【００１３】
請求項３の発明は、請求項１又は２の太陽光パネル設置構造により、斜面に設けた基礎部上に、斜面の傾斜方向及び斜面の傾斜方向と直交する横方向に隣り合うように配される複数の太陽光パネルを設置する太陽光パネル設置施工方法であって、次の（１）〜（７）の工程からなることを特徴とする。
（１）前記基礎部上に、斜面上側となる水平材と斜面下側となる水平材との一対の水平材を、斜面の傾斜方向と直交する横方向に延長する態様で斜面上側と斜面下側とに間隔をあけて互いに平行に取り付ける。
（２）２本の前記パネル受け材の斜面上側となる端部及び斜面下側となる端部にそれぞれ前記スライド金具の上部を固定して２本のスライド金具付きパネル受け材を形成する。
（３）前記２本のスライド金具付きパネル受け材の斜面傾斜方向の上端部及び下端部をそれぞれ、斜面傾斜方向上側及び下側の水平材上に載せる。その際、斜面上側のスライド金具及び斜面下側の少なくとも一方のスライド金具が水平材の斜面上側の側面に接するように配して水平材上に載せる。
（４）前記２本のスライド金具付きパネル受け材の横方向の間隔を太陽光パネルの取付部に合せるとともに、斜面傾斜方向に並ぶ複数の太陽光パネルのそれぞれ横方向に延びる枠材を前記２本のスライド金具付きパネル受け材の各パネル受け材にそれぞれ固定して、前記複数の太陽光パネルとその複数の太陽光パネルを固定した２本のスライド金具付きパネル受け材とからなるパネルユニットを形成する。
（５）前記パネルユニットを、横方向の所定の位置まで水平材上をスライドさせ、パネル受け材の両端に固定している前記スライド金具の下部を水平材の側面にボルトで固定する。
【発明の効果】
【００１４】
本発明の太陽光パネル設置構造、及び太陽光パネル設置施工方法によれば、太陽光パネルを太陽光パネル設置架台に設置する作業に際して、スライド金具を取り付けた２本のパネル受け材を水平材上に置きその上に太陽光パネルをボルトで固定してパネルユニットとして一体化し、そのパネルユニットを順次、水平材上を横方向の所定の位置にスライドさせることで、太陽光パネルを所定の位置に設置することができる。
この場合、太陽光パネルを搭載したパネルユニットのパネル受け材は、スライドの障害となる突起等のない水平材上を横方向に特に制限なくスライドさせることができるので、太陽光パネルを土手などの横方向に延びる斜面に設置する際に横方向に多数設置することが可能であり、しかもその設置作業を楽に行うことができ、施工性が良好であり、工期短縮が図られる。
【００１５】
太陽光パネルを搭載した１つのパネルユニットの重量がそれほど大でない場合には、スライド金具を水平材に固定しているボルトを外せば、そのパネルユニットは隣接する両側のパネルユニットとの結合関係はないので、人力でそのパネルユニットのみを取り外すことが可能であり、故障した太陽光パネルを取り替えるメンテナンスなどの作業が容易である。
また、パネルユニットの重量が大の場合は、スライド金具を水平材に固定しているボルトを外せば、水平材上をスライド可能なので、横方向に隙間なく隣接設置されたパネルユニットにおける端部のパネルユニットを若干水平材からはみ出すように外側にスライドさせて、パネルユニット間に作業空間とし得る隙間を設けることができ、複数設置された太陽光パネルの任意の１枚を容易に取り外すことが可能となる。
【００１６】
水平材上に置いたパネル受け材に太陽光パネルをボルトで固定する作業は水平材上の任意の位置で行なうことができる。したがって、太陽光パネルをパネル受け材に固定する際に必要なボルト固定作業は、太陽光パネルの下に潜り込むことなく、十分なスペースのある状態で行なうことができ、容易である。
そして、太陽光パネルを搭載したパネルユニットを所定位置に位置させた際に行なうスライド金具と水平材とのボルト固定作業には、斜面上側及び下側の水平材のそれぞれ外側で横から作業できるので、太陽光パネルの下に潜り込むことなく、ボルト固定作業を行うことができる。
このように、太陽光パネルをボルトで架台に堅固に固定する構造を採用していても、太陽光パネル設置作業に際して、太陽光パネルの下に潜り込んでする作業が不要となり、この点でも施工性が良好であり、工期短縮が図られる。
【００１７】
太陽光パネルの設置作業において、太陽光パネルの下に潜り込む動作あるいは潜り込んでする作業は不安定でケガなどし易いと言えるが、前記のように太陽光パネルの下に潜り込む作業が不要となるので、そのような恐れも少ない。
また、作業者が潜り込む作業が不要なので、太陽光パネルと斜面との間の高さ空間を最小限にとどめることが可能となり、架台を支持する支柱部ないし基礎部を低くし鋼材使用量を少なくし材料コストを安くすることができる。
【００１８】
太陽光パネルを搭載したパネルユニットは水平材上を障害なくスライドできるので、横方向に隣接する太陽光パネル間の隙間をなくすことができ、また、１つのパネルユニットに配置される斜面傾斜方向の複数の太陽光パネル間には特に広い隙間を設けることを必要としないので、決められた敷地面積内に多数の太陽光パネルを設置することが可能となり、敷地面積に対する発電効率の良好な太陽光パネル設備が得られる。
【００１９】
また、太陽光パネルを斜面傾斜方向及び斜面傾斜方向と直交する横方向に隙間なく設置できるので、隙間から雑草が成長して、太陽光パネルの上面に影を作るという問題も生じない。隙間から雑草が成長して太陽光パネルの上面に影を作ると、当然発電効率が低下するが、そのような不都合も防止できる。
【００２０】
斜面上側又は斜面下側の少なくとも一方のスライド金具は水平材の斜面上側の側面に接しているので、パネル受け材に固定したスライド金具を水平材にボルトで固定する前の段階であっても、太陽光パネルを搭載して斜面上下の水平材間に掛け渡した状態のパネル受け材が滑落する恐れはない。滑落の恐れなく作業できるので、この点でも施工性が良好であり、工期短縮が図られる。
【図面の簡単な説明】
【００２１】
【図１】本発明の一実施例の太陽光パネル設置構造の側面図である。
【図２】図１の太陽光パネル設置構造のＡ矢視による平面図である。
【図３】図２のＢ−Ｂ断面図である。
【図４】図３のａ部拡大図である。
【図５】図３のｂ部拡大図である。
【図６】図２のＣ−Ｃ断面図である。
【図７】図６のｃ部拡大図である。
【図８】本発明の太陽光パネル設置施工方法の一実施例の工程を説明するもので、最初の工程を示す。
【図９】図８に続く工程を説明する図である。
【図１０】図９に続く工程を説明する図である。
【図１１】図１０に続く工程を説明する図である。
【図１２】図１１に続く工程を説明する図である。
【図１３】図１２に続く工程を説明する図である。
【図１４】図１３に続く最終工程を説明する図である。
【図１５】図１４の工程により完成した太陽光パネル設置構造を示す図である。
【図１６】上記の施工工程において、従来方法を採用した場合の不都合を説明する図である。
【図１７】従来の太陽光パネル設置構造の一例を示すもので、（イ）は斜視図、（ロ）は（イ）のＧ−Ｇ拡大断面図である。
【図１８】従来の太陽光パネル設置構造の他の例を示すもので、（イ）は斜視図、（ロ）は（イ）のＨ−Ｈ拡大断面図である。
【図１９】従来の太陽光パネル設置構造のさらに他の例を示す斜視図である。
【発明を実施するための形態】
【００２２】
以下、本発明を実施した太陽光パネル設置構造及び太陽光パネル設置施工方法について、図面を参照して説明する。
【実施例１】
【００２３】
図１は本発明の一実施例の太陽光パネル設置構造１の側面図、図２は図１の太陽光パネル設置構造１のＡ矢視による平面図、図３は図２のＢ−Ｂ断面図、図４は図３のａ部拡大図、図５は図３のｂ部拡大図、図６は図２のＣ−Ｃ断面図、図７は図６のｃ部拡大図である。
本発明は図１の通り、河川沿いの土手や盛土された道路の側部法面などの斜面Ｓに太陽光パネル２を設置するための太陽光パネル設置構造である。
この太陽光パネル設置構造１は、斜面Ｓに設けられた基礎部３と、この基礎部３上に設けられて斜面の傾斜方向及び斜面の傾斜方向と直交する横方向に隣り合うように配される複数の太陽光パネル２を設置する太陽光パネル設置架台５とを備えている。
この実施例では前記基礎部３が、斜面Ｓの斜面傾斜方向及び斜面横方向に間隔をあけた４箇所に打設された四角形状配置の４本の杭である。実施例の太陽光パネル設置架台５はこの４本の杭３上に設置されて、斜面横方向に３つ、斜面傾斜方向に３つで合計９つの太陽光パネル２を設置している。
【００２４】
前記太陽光パネル設置架台５は、斜面の傾斜方向と直交する横方向に延長する態様で斜面上側と斜面下側とに間隔をあけて互いに平行に配されて前記基礎部３上に取り付けられる、平坦な上面及び側面を有する水平材４と、斜面の傾斜方向をなすとともに横方向に間隔をあけて配されて、斜面の傾斜方向に並ぶ図示例では３つの太陽光パネル２のそれぞれの取付部を受けるパネル受け材６と、前記パネル受け材６の斜面上側及び斜面下側の端部にそれぞれ上部が固定されるスライド金具７とを備えている。
この実施例では、水平材４、パネル受け材６として軽量溝形鋼、スライド金具７として軽量山形鋼を用いている。
【００２５】
実施例の基礎部３は、図４、図７に示すようにラセン状部３ａの上端に溶接固定した円板３ｂの上面にボルト３ｃを垂直に溶接固定したラセン状の杭であり、斜面上に立てて円板３ｂにボルト３ｃより長い鋼管等の筒状体をボルト３ｃが内側になるように載せて、ラセン軸方向に鋼管等の筒状体を打撃することで、基礎部３は回転しながら地中に打設される。
基礎部３の打設後には、打設のために用いた鋼管等の筒状体は取り外される。
前記水平材４は、当該水平材４の下側のフランジ４ａにあけたボルト挿通孔に前記ボルト３ｃを挿通させて、杭３の上端の円板３ｂに載せ、ナット３ｄを締め付けて、杭３の上端に固定している。
太陽光パネル２は、太陽電池モジュールの周囲を矩形の枠材で保持した構成である。図２では１つの太陽光パネル２についてのみ枠材を示したが、太陽光パネル２の矩形の枠材の図２で横方向両側（水平方向両側）の短い枠材を短辺枠材２ａ、縦方向両側（斜面傾斜方向両側）の長い枠材を長辺枠材２ｂとして示す。
【００２６】
太陽光パネル２の斜面傾斜方向両側の長辺枠材２ｂ上の２箇所の取り付け孔の位置に合せて横方向に間隔をあけた２本のパネル受け材６の上側のフランジ６ａに、太陽光パネル２の長辺枠材２ｂがボルト１３で固定されている。
前記斜面上側のスライド金具７（７１）及び斜面下側のスライド金具７（７２）は、いずれもその上部（水平なフランジ７ａ）がパネル受け材６の下面（下側のフランジ６ｂ）にボルト１１で固定されている。
前記斜面上側のスライド金具７（７１）及び斜面下側のスライド金具７（７２）はそれぞれ、その下部（下方に延びる垂直なフランジ７ｂ）が前記斜面上側の水平材４（４１）又は前記斜面下側の水平材４（４２）の斜面傾斜方向の側面に対し側面から接するように配されてそれぞれ水平材４の側面（ウエブ４ｂ）にボルト９で固定されている。
この実施例では、図７に示すように、斜面上側のスライド金具７（７１）が水平材４（４１）の斜面上側の側面に接している。なお、斜面上側又は斜面下側の少なくとも一方のスライド金具は、水平材４の斜面上側の側面に接する構成とする。
なお、上述の説明で、ボルト９、１１、１３について、ボルトで固定していると記載した部分は、詳しくはボルトとナットで固定しているのであるが、それを略して記載したものである。
【００２７】
この実施例では、軽量溝形鋼である斜面上側及び下側の水平材４がいずれもその開口が内側に向いた態様（すなわち、それぞれの開口は斜面上側の水平材４１は斜面傾斜方向の下側向き、斜面下側の水平材４２は斜面傾斜方向の上側向き）で杭３にボルト３ｃで固定されている。
この実施例では、前記の通りスライド金具７の下方に延びるフランジ７ｂが斜面上側及び下側の水平材４のそれぞれ外側面に接しており、したがって、斜面上側のスライド金具７１が斜面上側の水平材４１の斜面上側の側面に接していることで、パネル受け材６及びこれと一体の太陽光パネル２は、傾斜して状態で置かれても斜面上側の支持金具７１によって滑落することを有効に防止される。
【実施例２】
【００２８】
上述の太陽光パネル設置構造１を採用して斜面に太陽光パネル２を設置する太陽光パネル設置施工方法の一例を、図８〜図１５を参照して説明する。
図８〜図１５における（イ）は平面図、（ロ）は（イ）のｆ−ｆ断面図（いずれも同じ記号で示す）である。
図９〜図１５における（ハ）は（ロ）中の円で示した部分の拡大図である。
図１４、図１５における（ニ）は（イ）のｇ−ｇ断面図（いずれも同じ記号で示す）である。図１４における（ホ）は（ニ）の未完成パネルユニット２０’を所定位置までスライドさせた段階を示している。
図１〜図７では、斜面傾斜方向に３つの太陽光パネル２を設置しているが、以下の説明の太陽光パネル設置架台は、斜面傾斜方向に２つの太陽光パネル２を設置している場合である。
【００２９】
（１）図８に示す工程。
まず、斜面Ｓに基礎部として、図示例ではラセン状の杭３を、斜面上側及び下側の各水平材４にそれぞれ対応する２箇所、合計４箇所に打設する。
次いで、２本の水平材４をそれぞれ、斜面上側の２本の杭３、及び斜面下側の２本の杭３上に固定する。すなわち、斜面上側となる水平材４１と斜面下側となる水平材４２との一対の水平材４を、斜面の傾斜方向と直交する横方向に延長する態様で斜面上側と斜面下側とに間隔をあけて互いに平行に取り付ける。
この場合、先に図４、図７について説明したように、水平材４のボルト挿通孔に杭３の上端のボルト３ｃを挿通させて、水平材４を杭３の上端の円板３ｂに載せ、ナット３ｄを締め付けて、杭３の上端に固定する。
（２）予め、２本のパネル受け材６の斜面上側となる端部及び斜面下側となる端部の下側のフランジ６ｂにそれぞれ、スライド金具７の上部（水平のフランジ７ａ）を固定して、２本のスライド金具付きパネル受け材６Ａ（図９参照）を形成しておく。
（３）図９に示す工程。
前記２本のスライド金具付きパネル受け材６Ａの斜面傾斜方向の上端部及び下端部をそれぞれ、斜面傾斜方向上側及び下側の水平材４上に載せる。その際、斜面上側のスライド金具７１及び斜面下側のスライド金具７２がそれぞれ、その下部（下向きのフランジ７ｂ）が斜面上側の水平材４１又は斜面下側の水平材４２の斜面傾斜方向の側面（ウエブ４ｂ）に対し側面から接するように、かつ、斜面上側又は斜面下側の少なくとも一方のスライド金具７が水平材４の斜面上側の側面に接するように配して水平材４上に載せる。
この実施例では、スライド金具７のフランジ７ｂが、斜面傾斜方向上下のいずれも開口が内向きである水平材（溝形鋼）４の外側の面（ウエブ４ｂ）に接しており、斜面上側のスライド金具７１が斜面上側の水平材４１の斜面上側の面（ウエブ４ｂ）に接している（図９（ハ）参照）。
【００３０】
（４）図１０に示す工程。
前記２本のスライド金具付きパネル受け材６Ａの横方向の間隔を太陽光パネル２の取り付け孔の位置に合せる。そして、斜面傾斜方向に並ぶ図示例では２つの太陽光パネル２のそれぞれ斜面傾斜方向の上側及び下側の長辺枠材２ｂを前記２本のスライド金具付きパネル受け材６Ａの各パネル受け材６の上側のフランジ６ａにそれぞれボルト１３で固定する（図４、図５、図７参照）。
前記２つの太陽光パネル２と、その２つの太陽光パネル２を固定した２本のスライド金具付きパネル受け材６Ａとからなるものをパネルユニット２０と呼ぶ。
（５）図１１に示す工程。
前記パネルユニット２０を、横方向の所定の位置まで水平材４上をスライドさせ、パネル受け材６の両端のスライド金具７の下部（下向きのフランジ７ｂ）を水平材４の側面（ウエブ４b）にボルト９で固定する（図１１（ハ）、図７参照）。
（６）図１２及び図１３に示す工程。
前記パネルユニット２０に横方向に隣接する次のパネルユニットを形成するための作業、すなわち、前記（２）〜（５）の工程を行う。図１２は前記（２）〜（４）の工程（図９、図１０に対応する工程）、図１３は前記（５）の工程（図１１に対応する工程）を示す。
（７）先に形成したパネルユニットに隣接するパネルユニットを形成するための、前記（２）〜（６）の工程を所定のパネルユニットの数に対応して行う。ただし、この実施例では横方向に隣接して設置する太陽光パネルの数は３つであるから、前記（６）の工程で、最後に設置する太陽光パネルを除くすべての太陽光パネルの設置を終えている（したがって、別の図としては示されない）。
【００３１】
（８）図１４に示す工程。
最後に設置する太陽光パネルについては、次の（８−１）〜（８−５）の工程により行なう。
（８−１）前記（２）及び（３）の工程（図９に対応する工程）を行なう。
（８−２）２本のスライド金具付きパネル受け材６Ａを水平材４上に置く。この場合、２本のスライド金具付きパネル受け材６Ａのうちのスライド方向前方側（図１４で右側）のスライド金具付きパネル受け材６Ａ１を設定位置（矢印Ｐで示す位置）より手前側（図１４で左側）に位置させて置く。スライド方向後方側のスライド金具付きパネル受け材６Ａ２は、水平材４の端部に置く。
この状態で、斜面傾斜方向に並ぶ２つの太陽光パネル２のそれぞれにおける斜面傾斜方向両側の長辺枠材２ｂのスライド方向前方側の取付部を、前記前方側のスライド金具付きパネル受け材６Ａ１のパネル受け材６にそれぞれボルト１３（図４等参照）で固定する（すなわち、最後に設置する太陽光パネル２が水平材４の端からはみ出した状態で固定する）。
前記２つの太陽光パネル２と前記前方側のスライド金具付きパネル受け材６Ａとからなるものを、未完成パネルユニット２０’と呼ぶ。
（８−３）前記未完成パネルユニット２０’を、先に設置したパネルユニット２０に隣接する所定の位置まで水平材４上をスライドさせる（図１４（ホ）に示される位置）。
（８−４）斜面傾斜方向に並ぶ２つの太陽光パネル２のそれぞれにおける斜面傾斜方向両側の長辺枠材２ｂのスライド方向後方側の取付部を、後方側のスライド金具付きパネル受け材６Ａ２のパネル受け材６にそれぞれボルト１３で固定する。
（８−５）２本のスライド金具付きパネル受け材６Ａの各スライド金具７の下部を水平材の側面にボルト９で固定する。
以上により、図１５に示すように、斜面傾斜方向に２つ、横方向に３つの合計６つの太陽光パネル２の設置が完了する。
【００３２】
図１〜図７で表された太陽光パネル設置構造１を、パネル受け材６を水平材４に固定した後に、そのパネル受け材６上に太陽光パネル２をボルト固定する従来手順で施工するとした場合の不都合を図１６を参照して説明する。
図１６において、最初に設置する斜面傾斜方向に並ぶ２つの太陽光パネル２０を除けば、２番目の以降の、斜面傾斜方向に並ぶ２つの太陽光パネルを設置する際に、斜面傾斜方向に並ぶ２つの太陽光パネル２の一方の太陽光パネル２１をパネル受け材６にボルト固定すると、他方の太陽光パネル２２については、パネル受け材６の中間位置における角部Ｑをパネル受け材６にボルトで固定する作業は、パネル受け材６上に置いた状態の太陽光パネル２２の下に潜り込まないとできない。
しかし、上述した本発明の施工方法では、パネルユニット２０を形成した後にスライドさせるので、パネルユニット２０を形成する段階（すなわち太陽光パネル２をパネル受け材６に固定する段階）では、ボルト接合作業をするスペースを容易に確保でき、太陽光パネルの下に潜り込む必要は生じない。
また、最後の太陽光パネルを設置する場合は、上述した（８−１）〜（８−５）の手順を採用することで、やはり、太陽光パネルの下に潜り込む必要は生じない。
【００３３】
上述した本発明の施工方法では、太陽光パネル２の下に潜り込んでする作業を全く必要としないので、太陽光パネル設置作業の作業性が向上し、また、ケガなどする恐れも少なく、また、太陽光パネルと斜面との間の高さ空間を最小限にとどめることが可能で架台を支持する脚部ないし基礎部を低くし材料コストを安くすることができる。
また、太陽光パネルを搭載して斜面上下の水平材間に架け渡した状態のパネル受け材が滑落する恐れもない。
また、複数設置された太陽光パネルの任意の１枚を容易に取り外すことが可能でメンテナンスなどの作業が容易である。
土手などの横方向に延びる斜面に設置する際に横方向に多数設置することが可能であり、かつ斜面傾斜方向の複数の太陽光パネルを隙間なく設置できるので、決められた敷地面積に設置可能な太陽光パネル数が多くて、敷地面積に対する発電効率は良好である。また、斜面傾斜方向に隣接する太陽光パネル間の隙間もなくすことができるので、隙間から成長した雑草が太陽光パネルの上面に影を作って発電効率を低下させる不都合も防止できる。ただし、必要に応じて、斜面傾斜方向あるいは斜面傾斜方向と直交する横方向に隣接する太陽光パネル間に隙間を設けることを妨げるものではない。
【実施例３】
【００３４】
上述の実施例では、太陽光パネル設置架台５を一基設置する場合として示したが、複数の太陽光パネル設置架台５を横方向に隣接させて連続設置することができる。この場合、隣接する太陽光パネル設置架台５の水平材４どうしを円滑に連続させることで、太陽光パネル２とスライド金具付きパネル受け材６Ａとが一体化されたパネルユニット２０を、任意の太陽光パネル設置架台５に移動させることが可能となる。
また、実施例の太陽光パネル設置架台５では、水平材４の長さを、その上に設置する複数の太陽光パネル２の全体幅と同じとしているが、太陽光パネル２はその横方向両側部分がパネル受け材６からはみ出した態様でパネル受け材６に固定されているので、水平材４の長さを、その両端の位置がパネル受け材６の位置の近傍にくるように短くすることができる。これにより、鋼材使用量をさらに少なくし、コストを安くすることができる。
【符号の説明】
【００３５】
１  太陽光パネル設置構造
２  太陽光パネル
２ａ  短辺枠材（横方向両側（水平方向両側）の枠材）
２ｂ  長辺枠材（縦方向両側（斜面傾斜方向両側）の枠材）
３  杭（基礎部）
４  水平材
４１  斜面上側の水平材
４２  斜面下側の水平材
４ａ  下側のフランジ
４ｂ  ウエブ
５  太陽光パネル設置架台
６  パネル受け材
６ａ  上側のフランジ
６ｂ  下側のフランジ
６Ａ  スライド金具付きパネル受け材
６Ａ１  スライド方向前方側のスライド金具付きパネル受け材
６Ａ２  スライド方向後方側のスライド金具付きパネル受け材
７  スライド金具
７１  斜面上側のスライド金具
７２  斜面下側のスライド金具
７ａ  水平なフランジ
７ｂ  下向きのフランジ
９、１１、１３  ボルト
２０  パネルユニット
２０’  未完成パネルユニット
【図１】
0005938826.tif 000002
【図２】
0005938826.tif 000003
【図３】
0005938826.tif 000004
【図４】
0005938826.tif 000005
【図５】
0005938826.tif 000006
【図６】
0005938826.tif 000007
【図７】
0005938826.tif 000008
【図８】
0005938826.tif 000009
【図９】
0005938826.tif 000010
【図１０】
0005938826.tif 000011
【図１１】
0005938826.tif 000012
【図１２】
0005938826.tif 000013
【図１３】
0005938826.tif 000014
【図１４】
0005938826.tif 000015
【図１５】
0005938826.tif 000016
【図１６】
0005938826.tif 000017
【図１７】
0005938826.tif 000018
【図１８】
0005938826.tif 000019
【図１９】
0005938826.tif 000020